(57)【要約】【課題】ケーブルを引込むケーブルコネクタにフェライトコアを内蔵させるようにして、フェライトコアの取付け忘れ及びフェライトコアによる美観の損いを解消したＥＭＩ対策用ケーブルコネクタを提供する。【解決手段】ケーブルコネクタは、筐体の一部に取付けられると共に、ケーブルを挿通させる中空を有するアダプター本体と、このアダプター本体と共にケーブルを固定するキャップとからなるケーブルコネクタにおいて、アダプター本体の内側に設けられていて、ケーブルが挿通されるフェライトコア、を有したことである。【選択図】　　　図１
2004127533.tif 000002
【特許請求の範囲】
【請求項１】
筐体の一部に取付けられると共に、ケーブルを挿通させる中空を有するアダプター本体と、このアダプター本体と共に前記ケーブルを固定するキャップとからなるケーブルコネクタにおいて、
前記アダプター本体の内側に設けられていて、前記ケーブルが挿通されるフェライトコア、
を有したことを特徴とするケーブルコネクタ。
【請求項２】
前記キャップ若しくは前記アダプター本体の少なくとも一方に係止され、内側には設けられたフェライトコアに、前記ケーブルが挿通されるアダプターを有したことを特徴とする請求項１に記載のケーブルコネクタ。
【請求項３】
前記キャップの内側に前記ケーブルを挿通させて制止するラバースリーブを設けたことを特徴とする請求項１に記載のケーブルコネクタ。
【請求項４】
前記アダプター本体は、前記筐体に装着させ、ロックナットで係止したことを特徴とする請求項１に記載のケーブルコネクタ。
【発明の詳細な説明】
【０００１】
【発明の属する技術分野】
本発明は、ケーブルコネクタに関し、詳しくはＥＭＩ（Ｅｌｅｃｔｒｏ　Ｍａｇｎｅｔｉｃ　Ｉｎｔｅｒｆｅｒｅｎｃｅ：電磁波障害）対策用ケーブルコネクタに関し、詳しくはケーブルを引込むケーブルコネクタにフェライトコアを内蔵させたケーブルコネクタに関する。
【０００２】
【従来の技術】
従来技術におけるケーブル配線引込具であるケーブルコネクタと、ＥＭＩ対策用部品であるフェライトコアは別々の部品で構成されているのが周知である。
【０００３】
ケーブルコネクタ１１１は、筐体１２１に取り付けられケーブル１２０を固定するものであり、その構造は、図３及び図４に示すように、筐体１２１の一部に取付けられ、中空のアダプター本体１１４にラバースリーブ１１５を嵌め込み、その上部からキャップ１１６を被せた構造になっている。
そして、筐体１２１に取付ける位置にラバーパッキン１１３を備え、ロックナット１１２で締結して筐体１２１に取付ける。この中空の部分にはケーブル１２０を挿通させておきラバースリーブ１１５で当接した状態を維持することで簡単に抜差し出来ない構造になっている。
【０００４】
このようにして筐体に取付けたケーブルコネクタ１１１のケーブル１２０にフェライトコア１３１を取付ける。フェライトコア１３１を備えたフェライトコア部１３０は、２分割にした円形中空のフェライトコア１３１と、この２分割にしたそれぞれのフェライトコア１３１を収納する観音開き構造のコアカバー部１３２とからなる。
このような構造のフェライトコア部１３０をケーブル１２０に取り付けるには、開いた状態のコアカバー部１３２をケーブル１２０に挟持するようにして閉めることにより２分割のフェライトコア１３１が円筒中空のフェライトコア１３１になる。
【０００５】
【特許文献１】
特開２００１−３５１８１８号公報　（第３―４頁、図２）
【０００６】
【発明が解決しようとする課題】
しかしながら、従来技術で説明したフェライトコアとケーブルコネクタが別部品として構成されているＥＭＩ対策用ケーブルコネクタにおいて、フェライトコア自体は固定する手段を持っていないため、フェライトコアを収納するコアカバー部にタイラップ等の固定する手段を備える必要があり、以外と構成が複雑であるという問題がある。
【０００７】
又、ケーブルを筐体に引込むときにケーブルコネクタは必須の部品であるため、取付け忘れ等の問題は生じないが、フェライトコアは、それ自体ケーブルに取付けるのみで、ケーブルの配線に必須の部品ではないため、以外と取付け忘れが発生する場合があるという問題もある。
【０００８】
若し、取付け忘れると、ノイズによる弊害が発生し、一定の規格を満足しない不良品と判断されてしまうという問題もある。
【０００９】
更に、フェライトコアはケーブルに別部品として取付けるため、美観を損ねるという問題もある。
【００１０】
従って、ケーブルに取付けるフェライトコアに対して、取付け忘れが生じないようにすると共に美観を損なわない構造にすることに解決しなければならない課題を有する。
【００１１】
【課題を解決するための手段】
上記課題を解決するために、本発明に係るケーブルコネクタは、次に示す構成にすることである。
【００１２】
（１）ケーブルコネクタは、筐体の一部に取付けられると共に、ケーブルを挿通させる中空を有するアダプター本体と、このアダプター本体と共に前記ケーブルを固定するキャップとからなるケーブルコネクタにおいて、前記アダプター本体の内側に設けられていて、前記ケーブルが挿通されるフェライトコア、を有したことである。
又、（２）前記キャップ若しくは前記アダプター本体の少なくとも一方に係止され、内側には設けられたフェライトコアに、前記ケーブルが挿通されるアダプターを有したことを特徴とする（１）に記載のケーブルコネクタ。
（３）前記キャップの内側に前記ケーブルを挿通させて制止するラバースリーブを設けたことを特徴とする（１）に記載のケーブルコネクタ。
（４）前記アダプター本体は、前記筐体に装着させ、ロックナットで係止したことを特徴とする（１）に記載のケーブルコネクタ。
【００１３】
このように、フェライトコアをケーブルコネクタに内蔵させる構造にしたことにより、フェライトコア自体の取付け忘れ等が回避できると共にフェライトコアをコネクタの内部に収納した構造にしたために美観の損いを防止することができる。
【００１４】
【発明の実施の形態】
次に、本発明に係るケーブルコネクタの種々の実施形態について、図面を参照して説明する。
【００１５】
本発明に係る第１の実施形態のケーブルコネクタはＥＭＩ対策用ケーブルコネクタであり、それは図１に示すように、筐体２１の一部に取付けることができるケーブルコネクタ１０であり、ケーブル２０を固定する箇所にフェライトコア１１を内蔵させた構造になっており、その構成は、筐体２１に取付けるラバーパッキン１３を備え、ケーブル２０を挿通させる中空に形成したアダプター本体１４と、このアダプター本体１４に連続して配置され、ケーブル２０の動きを制止するラバースリーブ１５と、このラバースリーブ１５を収納してアダプター本体１４に係止するキャップ１６とからなる。
アダプター本体１４には、その内側にケーブル２０を遊嵌できる孔、即ち、ケーブルを挿通させる大きさの孔を備えたフェライトコア１１を内蔵した構造になっている。
【００１６】
このような構造のケーブルコネクタ１０は、筐体２１の一部に取付け、ケーブル２０を挿通させ、アダプター本体１４の螺合部２２にロックナット１２を螺合させて係止することで筐体２１の一部に取付けることができる。このようにケーブルコネクタ１０を筐体２１に取付けるだけで、ケーブル２０の外周にフェライトコア１１が配置させることができ、これはケーブル配線作業を行えば、意識せずともノイズ対策ができる。
又、フェライトコア１１を内蔵させる構成にすると、フェライトコア１１をケーブル２０に通すという作業がなくなり、作業工程を短縮することができ、又、取付け忘れ等のミスをなくすことができ、更にフェライトコア１１自体が目立たないため、美観を損うことがない。
【００１７】
次に、本願発明に係る第２の実施形態のケーブルコネクタについて、図２を参照して説明する。
【００１８】
第２の実施形態のケーブルコネクタは、キャップ若しくはアダプター本体の少なくとも一方に係止され、内側には設けられたフェライトコアに、ケーブルが挿通されるアダプターを有した構成になっており、このアダプターは複数個数珠つなぎ状態で配置することが可能である。
【００１９】
ケーブルコネクタは、図２に示すように、フェライトコア１１、１１Ａを２連にした構造となっており、ロックナット１２を係合するアダプター本体１４の螺合部２２にフェライトコア１１Ａを内装したアダプター２３を螺合して係止する構造となっている。
【００２０】
アダプター２３は、ケーブル２０を挿通させる空洞を備え、下部側にアダプター本体１４の螺合部２２に螺合する雌螺合部２４を設けると共に上部側にフェライトコア１１Ａを装着し、その外側にロックナット１２を係合するアダプター螺合部２５を備えた構造となっている。
【００２１】
このような構造のアダプター２３は、種々の組み立て方があり、第１の組み立て方は、図２に示すように、筐体２１にアダプター本体１４を装着し、ロックナット１２で係合係止した状態にしておき、そのロックナット１２と係合した螺合部２２にアダプター２３の雌螺合部２４を係合させて組み立てる。
他の組み立て方は、アダプター本体１４の螺合部２２にアダプター２３の雌螺合部２４を係合係止し、アダプター２３を筐体２１に装着し、アダプター螺合部２５にロックナット１２を係合係止させて組み立てる。
【００２２】
このように、ケーブル２１に対して複数のフェライトコア１１、１１Ａを数珠つなぎにした構造にすると、そのケーブル２１に印加されるＥＭＩの影響力に応じてフェライトコア１１、１１Ａの数を調整することができ、様々なノイズ周波数に対応した構成にできる。
【００２３】
また、フェライトコア１１を内蔵している部分のコネクタ径を変えることにより、内蔵するフェライトコア１１も多岐にわたることとなり、さまざまな周波数のノイズに対応できる。
【００２４】
【発明の効果】
以上説明したように、本発明に係るケーブルコネクタは、ケーブルを筐体に引込むケーブルコネクタにフェライトコアを内蔵させた構造にしたことにより、ケーブル配線作業を行えば意識せずともノイズ対策ができるという効果がある。
【００２５】
又、フェライトコアコアを内蔵させたことにより、フェライトコアを取付ける工程がなくなり、作業工程を短縮させることができると共にフェライトコアの取付けミスをなくすことができる。
【００２６】
更に、フェライトコアを内蔵させたことにより、外部から見えないから美観を損うことを防止できる。
【図面の簡単な説明】
【図１】本発明に係る第１の実施形態のＥＭＩ対策用ケーブルコネクタの略示的な断面図である。
【図２】本発明に係る第２の実施形態のＥＭＩ対策用ケーブルコネクタの略示的な断面図である。
【図３】従来技術における筐体にケーブルを引込むためのケーブルコネクタの略示的な断面図である。
【図４】従来技術におけるフェライトコアを備えたケーブル及びこのケーブルを引込むためのケーブルコネクタを示す説明図である。
【符号の説明】
１０　　　ケーブルコネクタ
１１　　　フェライトコア
１１Ａ　　フェライトコア
１２　　　ロックナット
１３　　　ラバーパッキン
１４　　　アダプター本体
１５　　　ラバースリーブ
１６　　　キャップ
２０　　　ケーブル
２１　　　筐体
２２　　　螺合部
２３　　　アダプター
２４　　　雌螺合部
２５　　　アダプター螺合部
【図１】
2004127533.tif 000003
【図２】
2004127533.tif 000004
【図３】
2004127533.tif 000005
【図４】
2004127533.tif 000006